(57)【要約】【課題】容易に設置することが可能とされ、緑化を効率的に促進することが可能な緑化構造体及び緑化構造物を提供すること。【解決手段】グリーンタワー１０であって、植物Ｐが植栽可能とされた植栽部材と、上方に向かって延在する複数の縦部材１２Ａと前記縦部材１２Ａと交差する方向に延在し前記縦部材１２Ａと接続される横部材１２Ｂとを有し、平面視して植栽部材を囲繞するように形成された立設部材１１とを備えることを特徴とする。【選択図】図２
2019135976.tif 000002
【特許請求の範囲】
【請求項１】
植物が植栽可能とされた植栽部材と、
上方に向かって延在し間隔をあけて配置された複数の縦部材と、前記縦部材の長手方向に間隔をあけて配置され前記縦部材と交差する方向に延在し前記縦部材と接続される交差部材とを有し、平面視して植栽部材を囲繞するように形成された立設部材と、
を備えることを特徴とする緑化構造体。
【請求項２】
植物が植栽可能とされた植栽部材と、
互いに間隔をあけて配置され右側上方に向かって延在する複数の右上り部材と、互いに間隔をあけて配置され左側上方に向かって延在する複数の左上り部材とを有し、前記右上り部材と前記左上り部材が交差位置で接続されるとともに上方に延在して、平面視して植栽部材を囲繞するように形成された立設部材と、
を備えることを特徴とする緑化構造体。
【請求項３】
請求項１又は２に記載の緑化構造体であって、
前記植栽部材は、
多孔質セラミックスが少なくとも一部に用いられ内方に用土を収容する凹部が形成されたプランターとされ、
前記多孔質セラミックスは、
第１の面に沿って延在し前記第１の面に沿って層状に配置された複数の気孔を有し、前記気孔は前記交差する方向に切断した断面において前記第１の面方向に長さ１ｍｍ以上に延在する扁平孔とされ、これら複数の扁平孔は互いに連通可能とされるとともに飽和含水率が２０％以上とされていることを特徴とする緑化構造体。
【請求項４】
請求項１〜３のいずれか１項に記載の緑化構造体であって、
前記植栽部材を配置する植栽部材保持部を備えていることを特徴とする緑化構造体。
【請求項５】
請求項１〜４のいずれか１項に記載の緑化構造体であって、
前記緑化構造体の上部に配置され、水を噴霧する噴霧手段を備えていることを特徴とする緑化構造体。
【請求項６】
請求項５に記載の緑化構造体であって、
前記植栽部材の下方に、前記噴霧手段に水を供給する水供給手段を備えていることを特徴とする緑化構造体。
【請求項７】
請求項１〜６のいずれか１項に記載の緑化構造体を備えた緑化構造物であって、
前記立設部材の周囲の少なくとも一部に配置されるベンチユニットを備えていることを特徴とする緑化構造物。
【請求項８】
請求項１〜６のいずれか１項に記載の緑化構造体を備えた緑化構造物であって、
前記立設部材の上部に配置される日よけ手段を備えていることを特徴とする緑化構造物。
【請求項９】
請求項１〜６のいずれか１項に記載の緑化構造体を備えた緑化構造物であって、
複数の前記緑化構造体を備え、前記緑化構造体が連結部材によって連結されていることを特徴とする緑化構造物。
【請求項１０】
請求項１〜６のいずれか１項に記載の緑化構造体を備えた緑化構造物であって、
前記緑化構造体の少なくとも一部を覆うフラクタル日よけ手段を備えることを特徴とする緑化構造物。
【発明の詳細な説明】
【技術分野】
【０００１】
本発明は、容易に設置することができ、緑化を効率的に促進することが可能な緑化構造体及びこれを用いた緑化構造物に関する。
【背景技術】
【０００２】
近年、都市部におけるヒートアイランド現象の緩和や大気の浄化などを目的として、植物を建物の壁面に設置する壁面緑化が行われている（例えば、特許文献１参照。）。
【０００３】
しかしながら、例えば、特許文献１に記載された壁面緑化技術は、壁面に沿って多数の緑化基盤を配置するため大掛かりな工事と多額の費用が必要である。また、建築物によっては適用が困難である。
【０００４】
また、建築物を緑化する場合には、緑化壁で植栽した植物に灌水するのをはじめとする維持管理を効率的に行うための技術が要請され、そのための技術が開示されている（例えば、特許文献２参照。）。
しかしながら、特許文献２に記載された発明は構造が複雑であるうえメンテナンスが容易とはいえない。
【０００５】
一方、ショッピングセンターや公共施設、ありはイベント会場のように、人が多く集まる場所を緑化して、アメニティ空間とすることが促進されつつある。
そこで、高さ方向に対する緑化を行うことが可能で、効率的に運搬することが可能な緑化構造体が開示されている（例えば、特許文献３参照。）。
【先行技術文献】
【特許文献】
【０００６】
【特許文献１】特開２００７-３０６８４５号公報
【特許文献２】特開２０１６-００７２０３号公報
【特許文献３】特開平８-００００９６号公報
【発明の概要】
【発明が解決しようとする課題】
【０００７】
しかしながら、特許文献３に記載された緑化構造体は、上下方向の緑化面積を大きくするために、多数のプランターを設置することが必要であり、維持管理に手間がかかるという問題がある。
また、イベント会場での緑化構造体の設置や、ショッピングセンター等のように年中無休で営業され、しかも人の通行が多い場所における緑化構造体の設置や配置替えでは、設置に際しての余分なスペースを必要とせず、しかも短時間で効率的に設置可能であることが望ましい。
また、植栽した植物は設置当初から緑化に貢献することが望ましい。
【０００８】
本発明は、このような事情を考慮してなされたものであり、容易に設置することが可能とされ、緑化を効率的に促進することが可能な緑化構造体及び緑化構造物を提供することを目的とする。
【課題を解決するための手段】
【０００９】
上記課題を解決するために、この発明は以下の手段を提案している。
請求項１に記載の発明は、緑化構造体であって、植物が植栽可能とされた植栽部材と、上方に向かって延在し間隔をあけて配置された複数の縦部材と前記縦部材の長手方向に間隔をあけて配置され前記縦部材と交差する方向に延在し前記縦部材と接続される交差部材とを有し、平面視して植栽部材を囲繞するように形成された立設部材と、を備えることを特徴とする。
【００１０】
この発明に係る緑化構造体によれば、立設部材が上方に向かって延在する複数の縦部材と、縦部材と交差する方向に延在し縦部材と接続される交差部材とを有し、平面視して植栽部材（例えば、プランター）を囲繞する構成とされているので、植栽部材に植栽された植物を立設部材のあらゆる側面から縦部材と交差部材の間に形成される空間を介して視認することが可能となり、植栽された植物に影部（視認できない部分）が生じることが抑制されるので、緑化を効率的に促進することができる。
また、立設部材が植栽部材を囲繞するように形成されているので、容易に搬送、設置することができる。
また、例えば、農場や植物工場などで予め育成された植物を植栽部材に植栽して、そのまま設置することにより、設置当初から植栽部材に根が張った状態とすることが可能とされ、確実かつ効率的に緑化を促進することができる。
また、つる性植物を立設部材に巻きつかせて大きな緑化面積を確保したり、所望の高さまで育成するのに数年かかる樹木であっても設置当初から所望の高さとすることができる。
また、立設部材を平面視多角形な行燈形とすることにより上部に屋根等を配置することができる。
【００１１】
請求項２に記載の発明は、緑化構造体であって、植物が植栽可能とされた植栽部材と、互いに間隔をあけて配置され右側上方に向かって延在する複数の右上り部材と、互いに間隔をあけて配置され左側上方に向かって延在する複数の左上り部材とを有し、前記右上り部材と前記左上り部材が交差位置で接続されるとともに上方に延在して、平面視して植栽部材を囲繞するように形成された立設部材と、を備えることを特徴とする。
【００１２】
この発明に係る緑化構造体によれば、立設部材が、右上り部材と、左上り部材とを有し、右上り部材と左上り部材が交差位置で接続されながら上方に延在して、平面視して植栽部材を囲繞する構成とされるので、植栽された植物を立設部材のあらゆる側面から視認することができ、植物に影部が生じるのが抑制されるので、緑化を効率的に促進することができる。
また、立設部材が植栽部材を囲繞しているので、容易に搬送、設置することができる。
【００１３】
請求項３に記載の発明は、請求項１又は２に記載の緑化構造体であって、前記植栽部材は、多孔質セラミックスが少なくとも一部に用いられ内方に用土を収容する凹部が形成されたプランターとされ、前記多孔質セラミックスは、第１の面に沿って延在し前記第１の面に沿って層状に配置された複数の気孔を有し、前記気孔は前記交差する方向に切断した断面において前記第１の面方向に長さ１ｍｍ以上に延在する扁平孔とされ、これら複数の扁平孔は互いに連通可能とされるとともに飽和含水率が２０％以上とされていることを特徴とする。
【００１４】
この発明に係る緑化構造体によれば、植栽部材が、多孔質セラミックスが少なくとも一部に用いられ内方に用土を収容する凹部が形成されたプランターとされ、多孔質セラミックスは、第１の面に沿って延在し前記第１の面に沿って層状に配置された複数の気孔を有し、これら気孔は交差する方向に切断した断面において第１の面方向に長さ１ｍｍ以上に延在する扁平孔とされ、これら複数の扁平孔は互いに連通可能とされるとともに飽和含水率が２０％以上とされているので、例えば、高温環境下であっても植栽された植物を安定して育成することができる。
【００１５】
請求項４に記載の発明は、請求項１〜３のいずれか１項に記載の緑化構造体であって、前記植栽部材を配置する植栽部材保持部を備えていることを特徴とする。
【００１６】
この発明に係る緑化構造体によれば、植栽部材を配置する植栽部材保持部を備えているので、植栽部材を安定して配置することが可能である。
また、植栽部材に植栽された植物を緑化構造体とともに容易に搬送、設置することができる。
【００１７】
請求項５に記載の発明は、請求項１〜４のいずれか１項に記載の緑化構造体であって、前記緑化構造体の上部に配置され、水を噴霧する噴霧手段を備えていることを特徴とする。
【００１８】
この発明に係る緑化構造体によれば、立設部材の上部に配置された噴霧手段を備えているので、緑化構造体の上部から水を噴霧することができる。
その結果、例えば、夏季に周囲にいる人に冷涼感を与えるとともに、植栽部材に植栽された植物の高い位置にある葉に対して効率的に水を付与して、清潔感を保持することができる。
また、水が霧状であるので、周囲にいる人が濡れることが抑制される。
【００１９】
請求項６に記載の発明は、請求項５に記載の緑化構造体であって、前記植栽部材の下方に、前記噴霧手段に水を供給する水供給手段を備えていることを特徴とする。
【００２０】
この発明に係る緑化構造体によれば、植栽部材の下方に噴霧手段に水を供給する水供給手段を備えているので、水供給手段を配置するための余分なスペースが必要とされず、設置効率を向上させることができる。
【００２１】
請求項７に記載の発明は、請求項１〜６のいずれか１項に記載の緑化構造体を備えた緑化構造物であって、前記立設部材の周囲の少なくとも一部に配置されるベンチユニットを備えていることを特徴とする。
【００２２】
この発明に係る緑化構造物によれば、立設部材の周囲の少なくとも一部に配置されるベンチユニットを備えているので、人が休憩することができる。
また、ベンチユニットをモジュール化することにより、緑化構造物を効率的に搬送、設置、解体することができる。
【００２３】
請求項８に記載の発明は、請求項１〜６のいずれか１項に記載の緑化構造体を備えた緑化構造物であって、前記立設部材の上部に配置される日よけ手段を備えていることを特徴とする。
【００２４】
この発明に係る緑化構造物によれば、前記立設部材の上部に配置される日よけ手段を備えているので、例えば、夏季に屋外で休憩する場合であっても直射日光にさらされることなく快適に休憩することができる。また、植物が、直射日光にさらされるのが軽減され、植物にダメージが生じるのを抑制することができる。
【００２５】
請求項９に記載の発明は、請求項１〜６のいずれか１項に記載の緑化構造体を備えた緑化構造物であって、複数の前記緑化構造体を備え、前記緑化構造体が連結部材によって連結されていることを特徴とする。
【００２６】
この発明に係る緑化構造物によれば、複数の緑化構造体を備え、これら複数の緑化構造体が連結部材によって連結されているので、緑化構造物を安定して設置することができる。
【００２７】
請求項１０に記載の発明は、請求項１〜６のいずれか１項に記載の緑化構造体を備えた緑化構造物であって、前記緑化構造体の少なくとも一部を覆うフラクタル日よけ手段を備えることを特徴とする。
【００２８】
この発明に係る緑化構造物によれば、少なくとも一部の緑化構造体の上部を覆うフラクタル日よけ手段を備えているので、容易に設置することが可能である。
また、フラクタル日よけ手段により日よけ手段をモジュール化することにより、緑化構造物を効率的に搬送、設置、解体することができる。
【発明の効果】
【００２９】
この発明に係る緑化構造体及び緑化構造物によれば、容易に設置することが可能とされ、緑化を効率的に促進することができる。
【図面の簡単な説明】
【００３０】
【図１】本発明の第１実施形態に係るグリーンクールタワーの概略を説明する斜視図である。
【図２】第１実施形態に係るグリーンタワー本体の概略構成を説明する側面図である。
【図３】第１実施形態に係るグリーンクールタワーの要部詳細を説明する図であり、図１に矢視III−IIIで示す縦断面図である。
【図４】第１実施形態に係るグリーンタワー本体の概略構成を説明する側面図である。
【図５】第１実施形態に係るグリーンタワー本体の概略構成を説明する図４に矢視Ｖ−Ｖで示す縦断面の端面図である。
【図６】第１実施形態に係るグリーンタワー本体の概略構成を説明する図であり、（Ａ）は平面図を、（Ｂ）は底面図を示している。
【図７】第１実施形態に係るグリーンクールタワーの設置方法の概略を説明する図である。
【図８】本発明の第２実施形態に係るグリーンクールタワーの概略構成を説明する斜視図である。
【図９】本発明の第３実施形態に係る屋根付き休憩所の概略構成を説明する側面図である。
【図１０】第３実施形態に係る屋根付き休憩所の概略構成を説明する平面図である。
【図１１】第３実施形態に係る屋根付き休憩所の概略構成を説明する図であり、屋根を取り外した状態を示す平面図である。
【図１２】第３実施形態に係る屋根付き休憩所の要部詳細を説明する縦断面図であり、図１１に矢視ＸＩＩ−ＸＩＩで示す縦断面図である。
【図１３】本発明の第４実施形態に係る大規模休憩コーナーの概略構成を説明する斜視図である。
【図１４】本発明の第５実施形態に係る受付ブースの概略構成を説明する斜視図である。
【図１５】第６実施形態に係るグリーンタワー本体の側面（端面）の概略構成を説明する図である。
【図１６】第７実施形態に係るグリーンタワー本体の側面（端面）の概略構成を説明する図である。
【発明を実施するための形態】
【００３１】
＜第１実施形態＞
以下、図１〜図７を参照して、本発明の第１実施形態について説明する。
図１は本発明の第１実施形態に係るグリーンクールタワーの概略構成を説明する斜視図であり、図２は第１実施形態に係るグリーンタワー本体の概略構成を説明する側面図である。また、図３はグリーンクールタワーの要部詳細を説明する図１に矢視III−IIIで示す縦断面図である。また、図４は、植物が植栽されていない状態のグリーンタワー本体（立設部材）の概略構成を説明する側面図であり、図５は図４に矢視Ｖ−Ｖで示すグリーンタワー本体（立設部材）の縦断面の端面図であり、図６（Ａ）は平面図を、図６（Ｂ）は底面図を示している。図において、符号１０はグリーンタワー（緑化構造体）を、符号１１はグリーンタワー本体（立設部材）を、符号１００はグリーンクールタワー（緑化構造物）を示している。
【００３２】
グリーンクールタワー（緑化構造物）１００は、図１に示すように、例えば、グリーンタワー（緑化構造体）１０と、４組のベンチユニット１１０とを備えている。
【００３３】
グリーンタワー（緑化構造体）１０は、図１〜図３に示すように、例えば、グリーンタワー本体（立設部材）１１と、プランター（植栽部材）１５と、噴霧部材（噴霧手段）１６と、水供給部材（水供給手段）１７とを備えている。また、プランター（植栽部材）１５には、植物Ｐが植栽されている。
【００３４】
グリーンタワー本体（立設部材）１１は、図２、図４に示すように、例えば、上側に位置される格子状部材１２と、格子状部材１２の下側に位置される格子状部材１３と、プランター保持部（植栽部材保持部）１４とを備えている。
また、この実施形態において、グリーンタワー本体（立設部材）１１は、平面視して正方形（四角形）に形成されている。
また、グリーンタワー本体（立設部材）１１は、平面視正方形をなす四つの辺のいずれに向かって（外方から）見ても図２、図４に示すような形態とされている。
また、グリーンタワー本体（立設部材）１１の下部には、グリーンタワー本体１１を設置する際のアンカー用ブラケット１３Ｃが設けられていることが好適である。
【００３５】
格子状部材１２は、上方に向かって延在し間隔をあけて配置された縦部材１２Ａと、縦部材１２Ａと直交（交差）し水平方向に延在し縦部材１２Ａの長手方向に間隔をあけて配置される横部材（交差部材）１２Ｂとを備え、横部材１２Ｂは縦部材１２Ａと溶接により接続されている。
また、この実施形態において、格子状部材１２は平面視して正方形に形成されている。
【００３６】
格子状部材１３は、上方に向かって延在し間隔をあけて配置された縦部材１３Ａと、縦部材１３Ａと直交（交差）し水平方向に延在し縦部材１３Ａの長手方向に間隔をあけて配置される横部材１３Ｂとを備え、横部材１３Ｂは縦部材１３Ａと溶接により接続されている。また、格子状部材１３は、平面視して正方形に形成されている。
【００３７】
また、縦部材１３Ａは、図２に示すように、例えば、縦部材１２Ａに対して１／２又は１／３のピッチで配置されていて、縦部材１２Ａは下端が縦部材１３Ａと一体に連続する構成とされている。
また、縦部材１２Ａと一体に連続されていない縦部材１３Ａは、最上部の横部材１３Ｂまで延在している。
また、横部材１３Ｂは、例えば、縦部材１３Ａと概ね等しいピッチで配置されている。
【００３８】
プランター保持部（植栽部材保持部）１４は、図３、図５に示すように、格子状部材１３内方の高さ方向の途中に配置されていて、例えば、格子状部材１３の上端がプランター１５の上端と対応させて配置することが植物を充分に見ることができる点で好適である。
【００３９】
また、プランター保持部（植栽部材保持部）１４は、図６（Ａ）に示すように、グリーンタワー本体（立設部材）１１を平面視したときに、例えば、格子状部材１２がなす正方形の内方に配置されている。
【００４０】
また、プランター保持部（植栽部材保持部）１４は、図６（Ｂ）に示すように、グリーンタワー本体（立設部材）１１を格子状部材１３側から底面視したときに格子状部材１３の内方に配置されている。
【００４１】
また、プランター保持部（植栽部材保持部）１４は、図６（Ｂ）に示すように、格子状部材１３がなす正方形の対辺において互いに向かい合う縦部材１２Ａ同士を結ぶ線上に位置される複数の横部材１４Ａと、横部材１４Ａと直交（交差）して配列される複数の横部材１４Ｂと、横部材１４Ａ及び横部材１４Ｂを囲む枠体１４Ｃとを備え、この実施形態において、プランター保持部１４は格子状部材１３の内側部分に溶接によって接続されている。
【００４２】
プランター１５は、内方に形成された凹部に用土が収容可能とされ植物Ｐを植栽することが可能とされるとともにプランター保持部１４に載置されている。
また、この実施形態において、プランター１５は、例えば、少なくとも一部に多孔質セラミックスを用いて構成されている。
【００４３】
多孔質セラミックスは、例えば、第１の面に沿って延在し、この第１の面に沿って層状に配置された多数（複数）の気孔を有する。
また、これら気孔は第１の面に対して交差する方向に切断した断面において、第１の面に沿った方向の長さが第１の面と直交(交差）する方向より長い扁平孔とされ、第１の面に沿った方向に延在する長さがミリオーダー（１mm以上１０００ｍｍ未満）に形成されている。また、これら複数の扁平孔は、扁平孔同士、ナノメートルオーダー（１ｎｍ以上１０００ｎｍ未満）の気孔や、マイクロメートルオーダー（１μｍ以上１０００μｍ未満）の気孔を介して３次元的に連通（水が移動）可能な構成とされている。
また、多孔質セラミックスは、例えば、飽和含水率が２０％以上とされている。
多孔質セラミックスは、このような構成により、適切な排水性と保水性を確保することが可能となり、植物Ｐを適切に育成することができる。
【００４４】
プランター１５は、上記第１の面に沿った表面を有する多孔質セラミックスの板状物、この板状物を第１の面と交差する方向に切断した短冊状の角柱状物等を適宜組み合わせて構成することが可能である。例えば、板状物等によりプランター１５を形成する際には、例えば、扁平孔が水平となるように板状物を配置して底部を形成し、次いで底部の上面周縁部に周囲を取り囲むように、扁平孔が高さ方向及び横方向に延在するように板状物を立てて配置して用土を収容する凹部を形成してもよい。また、例えば、上述の底部の上面周縁部に周囲を取り囲むように、扁平孔が底部と同じ方向に沿うように角柱状物を配置して用土を収容する凹部を形成してもよい。
なお、上記多孔質セラミックスは好適とされる一例であり、他の構成に多孔質セラミックスや多孔質セラミックス以外で形成されたプランターを用いてもよい。
【００４５】
水供給部材（水供給手段）１７は、例えば、プランター１５の下方に配置されていて、水を貯留するタンクと、ポンプ（不図示）とを備えており、タンクに貯留された水をポンプによって噴霧部材１６に送るように構成されている。
【００４６】
噴霧部材（噴霧手段）１６は、この実施形態では、例えば、グリーンタワー本体（立設部材）１１の上部に配置されている。
また、噴霧部材１６は、例えば、平面視して流路がリング状に形成されたリング状パイプと、平面視したときにリング状パイプの周方向に間隔をあけて配置された複数（例えば、８つ）の噴霧ノズルとを備え、リング状パイプから供給された水を噴霧ノズルから霧状に噴出（噴霧）するようになっている。
【００４７】
植物Ｐは、予め農家等で育成された植物が好適であり、種類については任意に選択可能であるが、例えば、格子状部材１２に巻きつくつる性植物や、背が高く伸びる植物が好適である。
【００４８】
ベンチユニット１１０は、図３に示すように、例えば、座板１１０Ａと、座板１１０Ａを支持する支持部と脚部とを有する２つの支持部材１１０Ｂと、支持部材１１０Ｂの下部に配置された高さ調整部材１１０Ｃとを備えている。
また、この実施形態では、４組のベンチユニット１１０が設けられていて、平面視して、４組のベンチユニット１１０が、グリーンタワー本体（立設部材）１１を囲む構成とされている。
また、ベンチユニット１１０は、グリーンタワー１０を平面視したときの正方形の対角線を外方に延長する位置で分割可能とされている。
なお、ベンチユニット１１０を、グリーンタワー１０の外方の一部に設置してもよい。
【００４９】
次に、図７を参照して、グリーンクールタワー１００の設置方法の概略について説明する。図７は、第１実施形態に係るグリーンクールタワー１００の設置方法の概略を説明する図である。
（１）まず、例えば、植物Ｐが植栽された植栽部材を乗せた状態でグリーンタワー本体（立設部材）１１を準備する。
そして、図７（Ａ）に示すように、人手により設置位置に搬送する。このとき、水供給部材１７をともに搬送してもよい。
（２）次に、図７に示すように、グリーンタワー本体１１を所定位置に配置したら、アンカーを打ってグリーンタワー本体１１を床面に設置する。
（３）次いで、図７（Ｃ）に示すように、噴霧部材１６をグリーンタワー本体１１の上部に取付けてグリーンタワー１０を完成させる。
（４）次いで、グリーンタワー１０の周囲に４組のベンチユニット１１０を配置してグリーンクールタワー１００を完成させる。
【００５０】
第１実施形態に係るグリーンタワー（緑化構造体）１０によれば、グリーンタワー本体（立設部材）１１が複数の縦部材１２Ａ、交差部材１２Ｂによって形成された格子状部材を有し、プランター（植栽部材）１５を囲繞する構成とされるので、プランター１５に植栽された植物Ｐをグリーンタワー本体１１のあらゆる方向の側面からも格子状部材の空間から視認することができて植物Ｐに影部が生じることが抑制されるので、緑を充分に確保して緑化を効率的に促進することができる。
また、立設部材がプランター１５を囲繞する構成とされているので、容易に搬送、設置することができる。
【００５１】
第１実施形態に係るグリーンタワー１０によれば、上部に噴霧部材１６が配置されているので、夏季においては周囲にいる人に冷涼感を与えるとともに、プランター１５に植栽された植物Ｐの高い位置にある葉に対して効率的に水を付与して清潔感を確保することができる。
また、水が霧状であるので、人が周囲にいても濡れるのを抑制することができる。
【００５２】
第１実施形態に係るグリーンタワー１０によれば、プランター１５が、扁平に形成され寸法が１mm以上とされ配列方向がそろって配置された複数の扁平孔を有し、飽和含水率が２０％以上とされた多孔質セラミックスにより形成されているので、高温環境下であってもプランター１５に植栽された植物Ｐを安定して育成することができる。
【００５３】
第１実施形態に係るグリーンタワー１０によれば、プランター保持部１４を備えているので、プランター１５を安定して保持することが可能であり、植物Ｐが植栽されたプランター１５とともに効率的に搬送することができる。
【００５４】
第１実施形態に係るグリーンタワー１０によれば、プランター１５の下方に噴霧部材１６に水を供給する水供給部材１７を備えているので、余分なスペースが必要とされず、グリーンタワー本体（立設部材）１１を安定して設置することができる。
【００５５】
第１実施形態に係るグリーンクールタワー１００によれば、グリーンタワー１０、ベンチユニット１１０がモジュール化されているので、容易に搬送、設置、解体することができる。
【００５６】
第１の実施形態に係るグリーンクールタワー１００によれば、グリーンタワー１０の周囲のベンチユニットを備えているので人が休憩することができる。
また、ベンチユニット１１０によりアウトリガーとなり、グリーンタワー１０を安定して立設することができる。
【００５７】
＜第２実施形態＞
次に、図８を参照して、本発明の第２実施形態について説明する。
図８は、第２実施形態に係るグリーンクールタワー（緑化構造物）の概略構成を説明する斜視図である。
図８において、符号２００はグリーンクールタワー（緑化構造物）を、符号２１０はベンチユニットを示している。
【００５８】
グリーンクールタワー（緑化構造物）２００は、図８に示すように、二つのグリーンタワー（緑化構造体）１０と、２組のベンチユニット１１０と、２組のベンチユニット２１０とを備えている。
また、グリーンクールタワー（緑化構造物）２００は、二つのグリーンタワー（緑化構造体）１０が、２組のベンチユニット（連結部材）２１０によって連結されるとともに、ベンチユニット（連結部材）２１０の端部にそれぞれベンチユニット１１０が配置され、平面視して、ベンチユニット２１０及びベンチユニット１１０により、二つのグリーンタワー本体（立設部材）１１が囲まれる構成とされている。
ここで、グリーンタワー（緑化構造体）１０、ベンチユニット１１０については、第１実施形態と同様であるので、説明を省略する。
【００５９】
ベンチユニット２１０は、図８に示すように、例えば、座板２１０Ａと、座板２１０Ａを支持する支持部と脚部とを有する４つの支持部材２１０Ｂと、支持部材２１０Ｂの下部に配置された高さ調整部材２１０Ｃとを備えている。
ベンチユニット２１０は、座板２１０Ａがベンチユニット１１０より長く形成されていて、ベンチユニット１１０より多数の人が横並びに座ることが可能とされている。
また、支持部材２１０Ｂ、および高さ調整部材２１０Ｃは、ベンチユニット１１０の支持部材１１０Ｂ、および高さ調整部材１１０Ｃと同様の構成とされている。
【００６０】
この実施形態では、平面視して、２組のベンチユニット１１０と、２組のベンチユニット２１０によって、二つのグリーンタワー（緑化構造体）１０を囲む構成とされている。
また、ベンチユニット１１０及びベンチユニット２１０は、グリーンタワー１０を平面視したときの正方形の対角線を外方に延長する位置で分割可能とされている。
なお、ベンチユニット１１０及びベンチユニット２１０の配置については任意に設定することができる。
【００６１】
第２実施形態に係るグリーンクールタワー（緑化構造物）２００によれば、グリーンタワー１０、ベンチユニット１１０、２１０がモジュール化されているので、容易に搬送、設置、解体することができる。
【００６２】
第２実施形態に係るグリーンクールタワー２００によれば、複数のグリーンクールタワー１００がベンチユニット２１０によって連結されているので、グリーンクールタワー２００を安定して設置することができる。
また、グリーンクールタワー（緑化構造物）２００によれば、設置場所や使用形態に応じて、連結状態や配置を容易に変更することが可能である。
【００６３】
＜第３実施形態＞
次に、図９〜図１２を参照して、本発明の第３実施形態について説明する。
図９は、第３実施形態に係る屋根付き休憩所の概略構成を説明する側面図であり、図１０は屋根付き休憩所の概略構成を説明する平面図である。また、図１１は屋根付き休憩所の概略構成を説明する屋根を取り外した状態を示す平面図であり、図１２は第３実施形態に係る屋根付き休憩所の要部詳細を説明する縦断面図である。
図において、符号３００は屋根付き休憩所（緑化構造物）を、符号１０Ａはグリーンタワー（緑化構造体）を、符号３１０、３１１、３１２、３１３はベンチユニットを、符号３３０はフラクタル屋根（日よけ手段）を示している。
【００６４】
屋根付き休憩所（緑化構造物）３００は、図９〜図１２に示すように、平面視して正方形（矩形）の４つの頂点と対応する位置に配置された４つのグリーンタワー（緑化構造体）１０Ａと、２組のベンチユニット３１０と、１組のベンチユニット３１１と、２組のベンチユニット３１２と、３組のベンチユニット３１３と、フラクタル屋根（日よけ手段）３３０とを備えている。
【００６５】
また、屋根付き休憩所３００は、例えば、４つのグリーンタワー（緑化構造体）１０Ａが、ベンチユニット（連結部材）３１０、３１１,３１２、３１３及びフラクタル屋根（日よけ手段）３３０によって連結されており、２組のベンチユニット３１２の間には、人が通行可能な開口部が形成されている。
ここで、グリーンタワー（緑化構造体）１０Ａは、噴霧部材１６、水供給部材１７を備えていないこと以外は第１実施形態と同様であるので説明を省略する。
【００６６】
ベンチユニット３１０は、図１０、図１１に示すように、屋根付き休憩所３００の互いに平行する方向に外方に向かって配置され、２つのグリーンタワー（緑化構造体）１０Ａの外側寸法より外方まで延在し、多数の人が横並びで座ることが可能とされている。
また、ベンチユニット３１０は、図１２に示すように、例えば、座板３１０Ａと、座板３１０Ａを支持し脚部を構成する支持枠３１０Ｂと、支持枠３１０Ｂの下部に配置された高さ調整部材３１０Ｃとを備えている。
【００６７】
ベンチユニット３１１は、２組のベンチユニット３１０の側面端部でベンチユニット３１０同士を連結するとともに屋根付き休憩所３００の外方に向かって配置され、多数の人が横並びで座ることが可能とされている。その他については、ベンチユニット３１０と同様の構造を有している。
【００６８】
ベンチユニット３１２は、開口部の両側において２組のベンチユニット３１０の側面端部に連結されて屋根付き休憩所３００の外方に向かって配置されている。その他については、ベンチユニット３１０と同様の構造を有している。
【００６９】
ベンチユニット３１３は、開口部以外において隣接する２つのグリーンタワー（緑化構造体）１０を連結するとともに、屋根付き休憩所３００の内方に向かって配置されている。その他については、ベンチユニット３１０と同様の構造を有している。
【００７０】
フラクタル屋根（日よけ手段）３３０は、図９、図１０に示すように、４つのグリーンタワー１０Ａの上部に配置されていて、平面視正方形に形成された固定屋根３３１と、固定屋根３３１の各辺に接続される４つの折り畳み屋根３３２とを備え、４つの折り畳み屋根３３２がなす外縁は平面視して八角形に形成されている。
【００７１】
また、フラクタル屋根（日よけ手段）３３０は、例えば、相似形に形成された大小の複数の部材が面に沿って配列され互いに連結された構成とされている。
その結果、フラクタル屋根３３０は、葉っぱを通過した木洩れ日のような日陰ととなり部材間を通過する気流により風通しがよい空間を提供することができる。
なお、上記複数の部材を透光性がある板状部材（例えば、ガラス、プラスチック等）に配列した構成としてもよい。
【００７２】
固定屋根３３１は、平面視して屋根付き休憩所（緑化構造物）３００を構成する４つのグリーンタワー１０Ａの外側壁部の外形と対応した正方形に形成されている。
また、４つの折り畳み屋根３３２の外縁は、固定屋根３３１を外方に拡大した正方形の４つの各辺と、この拡大した正方形の４つの角部を斜めに切断した４つの斜辺からなる八角形に形成されている。
また、この八角形の斜辺は、固定屋根３３１がなす正方形の対角線を外方に延長した分割線によって分割され、それぞれの折り畳み屋根３３２は、図１０に示すような六角形に形成されている。
また、それぞれの折り畳み屋根３３２は、固定屋根３３１がなす正方形のいずれかの辺と接続され、分割線を境界とする互いに独立した構成とされている。
【００７３】
また、それぞれの折り畳み屋根３３２は、屋根本体３３２Ａと、ヒンジ３３２Ｂと、支持ロッド３３２Ｃとを備えていて、ヒンジ３３２Ｂを支点として矢印Ｔ方向に回動可能とされている。その結果、折り畳み屋根３３２を開閉することが可能とされている。
ここで、折り畳み屋根３３２において固定屋根３３１の外縁と対応する矩形部分の両側部分（略ひし形部分）を折り曲げ可能に構成すると、４つの折り畳み屋根３３２を同時に折り畳むことができて好適である。
なお、折り畳み屋根３３２の数、配置する位置等については任意に設定することができる。
【００７４】
第３実施形態に係る屋根付き休憩所（緑化構造物）３００によれば、グリーンタワー１０Ａ、ベンチユニット３１０、３１１,３１２、３１３、フラクタル屋根３３０がモジュール化されているので、容易に搬送、設置、解体することができる。
また、フラクタル屋根３３０の使用形態を季節や、例えば、雨の日には防水シートを使用するなど天候に応じて効率的に選択するができる。
また、植物が直射日光にさらされることが軽減されて、植物にダメージが生じるのを抑制することができる。
【００７５】
＜第４実施形態＞
次に、図１３を参照して、本発明の第４実施形態について説明する。
図１３は本発明の第４実施形態に係る大規模休憩コーナーの概略構成を説明する斜視図である。
図１３において、符号４００は大規模休憩コーナー（緑化構造物）を、符号４１０はベンチユニットを、符号４２０はサイン看板を示している。
【００７６】
大規模休憩コーナー（緑化構造物）４００は、図１３に示すように、例えば、８つのグリーンタワー（緑化構造体）１０と、４組のベンチユニット４１０と、サイン看板４２０とを備えている。
また、８つのグリーンタワー１０は、例えば、面視して正方形（矩形）の４つの頂点と対応する位置と４つの頂点の中間に配置されている。
【００７７】
また、大規模休憩コーナー４００は、例えば、グリーンタワー１０がベンチユニット（連結部材）４１０及びサイン看板４２０によって連結されている。
ここで、グリーンタワー（緑化構造体）１０については、第１実施形態と同様であるので説明を省略する。
【００７８】
ベンチユニット４１０は、図１３に示すように、例えば、大規模休憩コーナー４００の外形をなす正方形において同一線上に位置される３つのグリーンタワー１０を連結する構成とされ、大規模休憩コーナー４００の外方に向かって配置されている。
また、ベンチユニット４１０は、平面視して大規模休憩コーナー４００をなす正方形の対角線を外方に延長する位置で分割されている。
【００７９】
サイン看板４２０は、例えば、板状パネルや箱状表示部材の表示面に「大規模休憩コーナー」の愛称等が表示されており、８つのグリーンタワー１０の上部を覆うように形成されている。
また、サイン看板４２０は、外部照明や内部照明を備えていてもよい。
【００８０】
第４実施形態に係る大規模休憩コーナー（緑化構造物）４００によれば、グリーンタワー１０、ベンチユニット４１０、サイン看板４２０がモジュール化されているので、容易に搬送、設置、解体することができる。
また、例えば、夏季において、大規模休憩コーナーの利用者に快適な休憩環境を与えることができる。
【００８１】
＜第５実施形態＞
次に、図１４を参照して、本発明の第５実施形態について説明する。
図１４は、本発明の第５実施形態に係る受付ブースの概略構成を説明する斜視図である。図１４において、符号５００は受付ブースを、符号５１０はサイン看板を示している。
【００８２】
受付ブース５００は、例えば、二つのグリーンタワー（緑化構造体）１０と、噴霧部材１６と、サイン看板５１０と、テーブル５２０とを備えている。
グリーンタワー１０については、第１実施形態と同様であるので説明を省略する。
【００８３】
サイン看板５１０は、例えば、板状パネルや箱状表示部材の表示面に受付ブース５００における受付業務の内容を表示することにより構成されている。
また、サイン看板５１０は、外部照明や内部照明を備えていてもよい。
【００８４】
テーブル部５２０は、例えば、上面が平坦に形成されていて、受付ブース５００における受付業務の内容に応じて形態等が設定されている。
【００８５】
第５実施形態に係る受付ブース５００によれば、グリーンタワー１０、サイン看板５１０がモジュール化されているので、容易に搬送、設置、解体することができる。
また、例えば、夏季において、受付ブース５００で受付作業の係員や申込み中の人の環境を向上することができる。
【００８６】
＜第６実施形態＞
以下、図１５を参照して、本発明の第６実施形態について説明する。
図１５は本発明の第７実施形態に係るグリーンタワー本体の側面（端面）の概略構成を説明する図である。図において、符号２０はグリーンタワー（緑化構造体）を、符号２１はグリーンタワー本体（立設部材）を示している。
【００８７】
グリーンタワー（緑化構造体）２０は、図１５に示すように、グリーンタワー本体（立設部材）２１を備えている。また、例えば、プランター（植栽部材）（不図示）と、噴霧部材（噴霧手段）（不図示）と、水供給部材（水供給手段）（不図示）とを備えていてもよい。
また、グリーンタワー（緑化構造体）２０は、例えば、第１〜５実施形態に係るグリーンクールタワー（緑化構造物）１００〜５００や、その他の構成のグリーンクールタワー（緑化構造物）に適用することが可能である。プランター（植栽部材）、噴霧部材（噴霧手段）、水供給部材（水供給手段）については、第１実施形態と同様であるので説明を省略する。
【００８８】
グリーンタワー本体（立設部材）２１は、図１５に示すように、例えば、上側に位置される交差状立設部材２２と、交差状立設部材２２の下側に位置される格子状部材２３と、プランター保持部（植栽部材保持部）（不図示）とを備えている。
また、この実施形態において、グリーンタワー本体（立設部材）２１は、平面視して正方形（四角形）に形成されている。
また、グリーンタワー本体（立設部材）２１は、平面視正方形をなす四つの辺のいずれに向かって（外方から）見ても図１５に示すような形態とされている。
また、グリーンタワー本体（立設部材）２１の下部には、グリーンタワー本体２１を設置する際のアンカー用ブラケット（不図示）が設けられていることが好適である。
【００８９】
交差状立設部材２２は、平面視における外形をなす正方形の４つの頂点と対応する位置に配置され上方に向かって延在する縦部材２２Ａと、縦部材２２Ａと交差し右側上方に向かって延在する複数の第１交差部材（交差部材）２２Ｂと、縦部材２２Ａと交差し左側上方に向かって延在する複数の第２交差部材（交差部材）２２Ｃと、縦部材２２Ａの上部に配置される枠部材２２Ｄとを備え、縦部材２２Ａ、第１交差部材２２Ｂ、第２交差部材２２Ｃは交差する位置で適宜溶接により接続されている。
また、この実施形態において、交差状立設部材２２は平面視して正方形に形成されている。
【００９０】
格子状部材２３は、上方に向かって延在するとともに互いに間隔をあけて配置された縦部材２３Ａと、縦部材２３Ａと直交（交差）し縦部材２３Ａの長手方向に間隔をあけて配置される横部材２３Ｂとを備え、横部材２３Ｂは縦部材２３Ａと溶接により接続されている。また、格子状部材２３は、平面視して正方形に形成されている。
【００９１】
また、格子状部材２３がなす正方形の４つの頂点に位置される縦部材２３Ａは、例えば、交差状立設部材２２がなす正方形の４つの頂点に位置される縦部材２２Ａの下端と一体に連続する構成とされ、縦部材２２Ａと連結されない他の縦部材２３Ａは、最上部の横部材２３Ｂまで延在している。
また、例えば、縦部材２３Ａと横部材２３Ｂは概ね等しいピッチで配置されている。
【００９２】
プランター保持部（植栽部材保持部）（不図示）については、第１実施形態と同様の構成とされ、平面図、底面図も概ね同様であるので説明を省略する。
【００９３】
＜第７実施形態＞
以下、図１６を参照して、本発明の第７実施形態について説明する。
図１６は本発明の第７実施形態に係るグリーンタワー本体の側面（端面）の概略構成を説明する図である。図において、符号３０はグリーンタワー（緑化構造体）を、符号３１はグリーンタワー本体（立設部材）を示している。
【００９４】
グリーンタワー（緑化構造体）３０は、図１６に示すように、グリーンタワー本体（立設部材）３１を備えている。また、例えば、プランター（植栽部材）（不図示）と、噴霧部材（噴霧手段）（不図示）と、水供給部材（水供給手段）（不図示）とを備えていてもよい。また、プランター（植栽部材）（不図示）には、植物（不図示）が植栽可能とされている。
また、グリーンタワー（緑化構造体）３０は、例えば、第１〜５実施形態に係るグリーンクールタワー（緑化構造物）１００〜５００や、その他の構成のグリーンクールタワー（緑化構造物）に適用することが可能である。プランター（植栽部材）、噴霧部材（噴霧手段）、水供給部材（水供給手段）については、第１実施形態と同様であるので説明を省略する。
【００９５】
グリーンタワー本体（立設部材）３１は、図１６に示すように、例えば、上側に位置される交差状立設部材３２と、交差状立設部材３２の下側に位置される格子状部材３３と、プランター保持部（植栽部材保持部）（不図示）とを備えている。
また、この実施形態において、グリーンタワー本体（立設部材）３１は、平面視して正方形（四角形）に形成されている。
また、グリーンタワー本体（立設部材）３１は、平面視正方形をなす四つの辺のいずれに向かって（外方から）見ても図１６に示すような形態とされている。
また、グリーンタワー本体（立設部材）３１の下部には、グリーンタワー本体３１を設置する際のアンカー用ブラケット（不図示）が設けられていることが好適である。
【００９６】
交差状立設部材３２は、平面視における外形をなす正方形の４つの辺に沿って配置されて右側上方に向かって延在する複数の右上り部材３２Ｂと、右上り部材３２Ｂと交差し左側上方に向かって延在する複数の左上り部材３２Ｃと、右上り部材３２Ｂ及び左上り部材３２Ｃの上部（上端部）に配置される枠部材３２Ｄとを備えている。
そして、右上り部材３２Ｂと左上り部材３２Ｃが交差位置で接続されるとともに上方に向かって延在することにより、平面視して植栽部材（不図示）を囲繞する構成とされている。
また、右上り部材３２Ｂ、左上り部材３２Ｃは交差する位置で溶接により適宜接続されている。
また、この実施形態において、交差状立設部材３２は平面視して正方形に形成されている。
【００９７】
格子状部材３３は、上方に向かって延在するとともに互いに間隔をあけて配置された縦部材３３Ａと、縦部材３３Ａと直交（交差）し縦部材３３Ａの長手方向に間隔をあけて配置される横部材３３Ｂとを備え、横部材３３Ｂは縦部材３３Ａと溶接により接続されている。また、格子状部材３３は、第１実施形態と同様に、底面視して正方形に形成されている。
【００９８】
また、格子状部材３３がなす正方形の４つの頂点に位置される縦部材３３Ａは、例えば、交差状立設部材３２がなす正方形の４つの頂点と対応して配置され、縦部材３３Ａは最上部の横部材３３Ｂまで延在している。
また、例えば、縦部材３３Ａと横部材３３Ｂは概ね等しいピッチで配置されている。
【００９９】
プランター保持部（植栽部材保持部）（不図示）については、第１実施形態と同様の構成とされ、平面図、底面図も概ね同様であるので説明を省略する。
【０１００】
なお、本発明は、上記実施形態に限定されるものではなく、発明の趣旨を逸脱しない範囲において、種々の変更をすることが可能である。
【０１０１】
例えば、上記実施形態においては、グリーンタワー本体１１が、植物の保持に適した密度で形成された格子状部材（立設部材）１２の下方に、格子状部材１２より密に形成された格子状部材１３を備える場合について説明したが、グリーンタワー本体１１における格子状部材１２の構成は任意に設定することが可能であり、例えば、高さ方向の全長にわたって格子状部材１２により形成してもよいし、格子状部材１２の下方を外部から見えないパネル等によって覆う構成としてもよい。
【０１０２】
また、上記実施形態においては、プランター１５が扁平孔を有し飽和含水率が２０％以上の多孔質セラミックスを用いて形成されている場合について説明したが、多孔質セラミックスの気孔の形態、飽和含水率、プランターの構成については任意に設定することが可能であり、プランター１５の一部に上記多孔質セラミックスを用いてもよい。
【０１０３】
また、上記実施形態においては、内部に用土が収容されるプランターである場合について説明したが、プランターに代えて、水栽培容器や水を保持することが可能な繊維の集合体等によって構成されてもよい。
【０１０４】
また、グリーンタワー１０が上部に噴霧部材１６を備える場合について説明したが、グリーンタワー１０が噴霧部材１６を備えるかどうか、どの位置に配置するか、またどのような形態にするかは任意に設定することが可能である。
例えば、上記実施形態においては、噴霧部材１６が平面視してリング状に形成されたリング状パイプの周方向に間隔をあけて配置された複数の噴霧ノズルから霧状に水を噴出（噴霧）する場合について説明したが、例えば、平面視してグリーンタワー１０の中央部又はその延長線上から外方に放射状に伸びる複数のパイプにそれぞれ間隔をあけて複数の噴霧ノズルを配置して噴霧するように構成してもよい。
【０１０５】
また、上記実施形態においては、緑化構造物がベンチユニットを備える場合について説明したが、緑化構造物がベンチユニットを備えるかどうか、ベンチユニットの形態、配置については任意に設定することが可能である。
【０１０６】
また、上記実施形態においては、大規模休憩所（緑化構造物）４００、受付ブース（緑化構造物）５００がサイン看板４２０、５１０を備える場合について説明したが、緑化構造物がサイン看板を備えるかどうか、サイン看板の形態、配置については任意に設定することが可能である。
【０１０７】
また、上記実施形態においては、グリーンタワー（緑化構造物）３００がフラクタル屋根３３０を備える場合について説明したが、緑化構造物が日よけ手段を備えるかどうか、日よけ手段が可動屋根を有する構成とするか等、日よけ手段の形態、配置については任意に設定することが可能である。
【０１０８】
また、上記実施の形態においては、グリーンタワー本体（立設部材）１１が平面視して正方形に形成されている場合について説明したが、グリーンタワー本体１１を平面視してどのように形成するかは任意に設定可能であり、例えば、不等辺四角形に形成されていてもよい。また、グリーンタワー本体を平面視して三角形や五角形以上の多角形（不等辺多角形を含む）や円形に形成してもよい。
【０１０９】
また、上記実施形態においては、格子状部材（立設部材）１２が鉛直方向に伸びる縦部材１２Ａと、縦部材１２Ａと直交する横部材１２Ｂとを備えている場合について説明したが、例えば、横部材１２Ｂが縦部材１２Ａに対して直角以外の角度で交差してもよい。また、横部材１２Ｂ同士、交差状立設部材（立設部材）２２における第１の交差部材２２Ｂ、第２の交差部材２２Ｃ同士、交差状立設部材３２における右上り部材３２Ｂ同士、左上り部材３２Ｃ同士の間隔、鉛直方向に対する傾斜角度については任意に設定することができる。
【０１１０】
この発明に係る緑化構造体及び緑化構造物によれば、容易に設置することが可能とされ、緑化を効率的に促進することができるので、産業上利用可能である。
【符号の説明】
【０１１１】
Ｐ  つる性植物（植物）
１０、２０、３０  グリーンタワー（緑化構造体）
１１  グリーンタワー本体（立設部材）
１２  格子状部材（立設部材）
１２Ａ  縦部材
１２Ｂ  横部材（交差部材）
１４  プランター保持部（植栽部材保持部）
１５  プランター（植栽部材）
１６  噴霧部材（噴霧手段）
１７  水供給部材（水供給手段）
２１  グリーンタワー本体（立設部材）
２２  交差状立設部材（立設部材）
２２Ａ  縦部材
２２Ｂ  第１の交差部材（交差部材）
２２Ｃ  第２交差部材（交差部材）
２２Ｄ  枠部材
３１  グリーンタワー本体（立設部材）
３２  格子状部材（立設部材）
３２Ｂ  右上り部材
３２Ｃ  左上り部材
３２Ｄ  枠部材
１００  グリーンクールタワー（緑化構造物）
１１０  ベンチユニット
２００  グリーンクールタワー（緑化構造物）
２１０  ベンチユニット
３００  屋根付き休憩所（緑化構造物）
３１０、３１１、３１２、３１３  ベンチユニット
３３０  フラクタル屋根（フラクタル日よけ手段）
４００  大規模休憩コーナー（緑化構造物）
４１０  ベンチユニット
４２０  サイン看板
５００  受付ブース（緑化構造物）
５１０  サイン看板
【図１】
2019135976.tif 000003
【図２】
2019135976.tif 000004
【図３】
2019135976.tif 000005
【図４】
2019135976.tif 000006
【図５】
2019135976.tif 000007
【図６】
2019135976.tif 000008
【図７】
2019135976.tif 000009
【図８】
2019135976.tif 000010
【図９】
2019135976.tif 000011
【図１０】
2019135976.tif 000012
【図１１】
2019135976.tif 000013
【図１２】
2019135976.tif 000014
【図１３】
2019135976.tif 000015
【図１４】
2019135976.tif 000016
【図１５】
2019135976.tif 000017
【図１６】
2019135976.tif 000018